(57)【要約】      （修正有）【課題】ＦＭ放送局の過変調状態を適切に検出することができる過変調検出方法および過変調検出装置とＦＭ受信機を提供する。【解決手段】電界強度情報に含まれる過変調状態の高域成分を高域通過フィルタ１５で通過させ、増幅した後に比較回路１２でしきい値と比較して比較結果をＦＭ過変調判別端子１３から出力する。比較において、高域成分がしきい値より高い場合は過変調状態であると判別し、高域成分がしきい値より低い場合は過変調状態ではないと判別する。【選択図】図１
2007201838.tif 000002
【特許請求の範囲】
【請求項１】
中間周波増幅器によって増幅された中間周波信号の電界強度情報に含まれる過変調状態の高域成分を高域通過フィルタにより通過させ、
前記過変調状態の高域成分をしきい値と比較し、
前記過変調状態の高域成分が前記しきい値より高い場合は過変調状態であると判別し、
前記過変調状態の高域成分が前記しきい値より低い場合は過変調状態ではないと判別する
ことを特徴とする過変調検出方法。
【請求項２】
中間周波増幅器によって増幅された中間周波信号の電界強度情報に含まれる過変調状態の高域成分を高域通過フィルタにより通過させ、
前記高域通過フィルタを通過する前記過変調状態の高域成分を増幅し、
増幅された前記過変調状態の高域成分をしきい値と比較し、
前記増幅された過変調状態の高域成分が前記しきい値より高い場合は過変調状態であると判別し、
前記増幅された過変調状態の高域成分が前記しきい値より低い場合は過変調状態ではないと判別する
ことを特徴とする過変調検出方法。
【請求項３】
請求項１または請求項２に記載の過変調検出方法であって、
前記高域通過フィルタは通過帯域を可変とする
ことを特徴とする過変調検出方法。
【請求項４】
請求項１または請求項２に記載の過変調検出方法であって、
前記しきい値は可変とする
ことを特徴とする過変調検出方法。
【請求項５】
請求項２に記載の過変調検出方法であって、
前記過変調状態の高域成分増幅時の利得は可変とする
ことを特徴とする過変調検出方法。
【請求項６】
中間周波増幅器によって増幅された中間周波信号の電界強度情報を出力する手段と、
前記電界強度情報に含まれる過変調状態の高域成分を通過させる高域通過フィルタと、
前記過変調状態の高域成分をしきい値と比較し、前記過変調状態の高域成分が前記しきい値より高い場合は過変調状態であると判別し、前記過変調状態の高域成分が前記しきい値より低い場合は過変調状態ではないと判別する比較回路とを備えた
ことを特徴とする過変調検出装置。
【請求項７】
中間周波増幅器によって増幅された中間周波信号の電界強度情報を出力する手段と、
前記電界強度情報に含まれる過変調状態の高域成分を通過させる高域通過フィルタと、
前記高域通過フィルタを通過する過変調状態の高域成分を増幅する増幅器と、
増幅された過変調状態の高域成分をしきい値と比較し、前記増幅された過変調状態の高域成分が前記しきい値より高い場合は過変調状態であると判別し、前記増幅された過変調状態の高域成分が前記しきい値より低い場合は過変調状態ではないと判別する比較回路とを備えた
ことを特徴とする過変調検出装置。
【請求項８】
請求項６または請求項７に記載の過変調検出装置であって、
前記高域通過フィルタは、通過帯域を可変する手段を備えた
ことを特徴とする過変調検出装置。
【請求項９】
請求項６または請求項７に記載の過変調検出装置であって、
前記比較回路は、しきい値を可変する手段を備えた
ことを特徴とする過変調検出装置。
【請求項１０】
請求項７に記載の過変調検出装置であって、
前記増幅器は、利得を可変する手段を備えた
ことを特徴とする過変調検出装置。
【請求項１１】
請求項６または請求項７に記載の過変調検出装置であって、
構成要素を単一チップ上に集積化した
ことを特徴とする過変調検出装置。
【請求項１２】
ＦＭ放送局からのＦＭ信号を受信するアンテナと、
前記ＦＭ信号の過変調状態を検出する過変調検出装置とを備え、
前記過変調検出装置は、
中間周波増幅器によって増幅された中間周波信号の電界強度情報を出力する手段と、
前記電界強度情報に含まれる過変調状態の高域成分を通過させる高域通過フィルタと、
前記過変調状態の高域成分をしきい値と比較し、前記過変調状態の高域成分が前記しきい値より高い場合は過変調状態であると判別し、前記過変調状態の高域成分が前記しきい値より低い場合は過変調状態ではないと判別する比較回路とを備えた
ことを特徴とするＦＭ受信機。
【請求項１３】
ＦＭ放送局からの信号を受信するアンテナと、
前記ＦＭ放送局信号の過変調状態を検出する過変調検出装置とを備え、
前記過変調検出装置は、
中間周波増幅器によって増幅された中間周波信号の電界強度情報を出力する手段と、
前記電界強度情報に含まれる過変調状態の高域成分を通過させる高域通過フィルタと、
前記高域通過フィルタを通過する過変調状態の高域成分を増幅する増幅器と、
増幅された過変調状態の高域成分をしきい値と比較し、前記増幅された過変調状態の高域成分が前記しきい値より高い場合は過変調状態であると判別し、前記増幅された過変調状態の高域成分が前記しきい値より低い場合は過変調状態ではないと判別する比較回路とを備えた
ことを特徴とするＦＭ受信機。
【発明の詳細な説明】
【技術分野】
【０００１】
本発明は、ＦＭ信号の過変調状態を検出するための過変調検出方法および過変調検出装置とＦＭ受信機に関するものである。
【背景技術】
【０００２】
ＦＭ放送において搬送波信号を規格以上の周波数帯域に変調することを過変調という。また、従来のＦＭ受信機では、マルチパス発生時に音質劣化対策などを実施することがあるが、放送局の過変調状態を検出し、マルチパス時と過変調状態を区別し、それら電波状況に応じた信号処理を行なうことが望ましい。
【０００３】
以下、ＦＭ放送におけるＦＭ信号の過変調状態を例えば過変調検出装置により検出する従来のＦＭ受信機を、図１４にしたがって説明する。
このＦＭ受信機は、アンテナ１、ＲＦ増幅器２、混合器３、局部発振器４、第１帯域通過フィルタ５、第１中間周波増幅器６、第２帯域通過フィルタ７、第２中間周波増幅器８、ＦＭ検波器９、ＦＭ検波出力端子１０、中間周波レベル検出器１１、比較回路１２、ＦＭ過変調判別端子１３とで構成される。
【０００４】
以上のように構成された従来のＦＭ受信機について、その動作を以下に説明する。
図１４において、アンテナ１で受信したＦＭ放送局からの信号はＲＦ増幅器２で増幅され、混合器３で局部発振器４からの局部発振信号と混合されて中間周波信号に変換される。この中間周波信号は第１帯域通過フィルタ５で帯域制限され、第１中間周波増幅器６で増幅される。第１中間周波増幅器６で増幅された中間周波信号は第２帯域通過フィルタ７で帯域制限され、第２中間周波増幅器８で増幅された後、ＦＭ検波器９でＦＭ復調されてＦＭ検波出力端子１０から出力される。
【０００５】
一方、過変調状態の検出は、第２帯域通過フィルタ７によって帯域制限された信号に発生する電界の強弱を、中間周波レベル検出器１１によって検出し、比較回路１２のしきい値以下となった場合を過変調状態と判別する。
【０００６】
図５は過変調状態の中間周波信号が帯域通過フィルタを通過した場合の電界変動を示したものである。
過変調状態では、周期的に中間周波フィルタの帯域を越える周波数となるため、電界強度の差異が変調度に応じて出力されることになる。ここで中間周波信号の周波数をｆｉｆ、変調度をΔｆｍｏｄとすると、中間周波フィルタに入力される周波数は、最高周波数で（ｆｉｆ＋Δｆｍｏｄ）、最低周波数で（ｆｉｆ−Δｆｍｏｄ）となる。
【０００７】
このような過変調状態での電界強度は、最高および最低周波数ともに中間周波フィルタの帯域を越えるため、通常の変調状態における最高周波数（ｆｉｆ＋Δｆｍｏｄ’）、最低周波数（ｆｉｆ−Δｆｍｏｄ’）の場合に比べて、帯域制限により減衰される。
【０００８】
図６は中間周波レベル検出器１１と比較回路１２の関係を示したものである。
帯域通過フィルタを通過した過変調状態の中間周波信号は、中間周波レベル検出器１１により包絡線検波され、比較回路１２でしきい値と比較され、しきい値以下となった場合に過変調状態であると判別される。
【特許文献１】特開平１０−７５１９０号公報
【発明の開示】
【発明が解決しようとする課題】
【０００９】
しかしながら図１４のように構成される従来のＦＭ受信機では、過変調状態の判別を電界変動のみで判別しているため、マルチパスなどの要因で発生する電界強度の変動と区別ができないという問題がある。この問題について、以下に説明する。
【００１０】
図７はマルチパス発生時の中間周波信号が中間周波レベル検出器１１で包絡線検波された状態を示したものである。図７において、マルチパスは放送基地局からの信号と障害物などに反射してアンテナ１に到達する信号とが干渉しあって発生するため、マルチパス時は振幅および位相に変調がかかった信号を受信することになる。したがって、振幅変調による電界強度の変動が発生するため、過変調による電界強度変動かマルチパスによる電界強度変動かが区別できない。
【００１１】
本発明は、上記従来の問題点を解決するもので、複雑な検出系回路を設けることなく簡単な構成で、ＦＭ放送局の過変調状態を適切に検出することができる過変調検出方法および過変調検出装置とＦＭ受信機を提供する。
【課題を解決するための手段】
【００１２】
上記の課題を解決するために、本発明の請求項１に記載の過変調検出方法は、中間周波増幅器によって増幅された中間周波信号の電界強度情報に含まれる過変調状態の高域成分を高域通過フィルタにより通過させ、前記過変調状態の高域成分をしきい値と比較し、前記過変調状態の高域成分が前記しきい値より高い場合は過変調状態であると判別し、前記過変調状態の高域成分が前記しきい値より低い場合は過変調状態ではないと判別することを特徴とする。
【００１３】
また、本発明の請求項２に記載の過変調検出方法は、中間周波増幅器によって増幅された中間周波信号の電界強度情報に含まれる過変調状態の高域成分を高域通過フィルタにより通過させ、前記高域通過フィルタを通過する前記過変調状態の高域成分を増幅し、増幅された前記過変調状態の高域成分をしきい値と比較し、前記増幅された過変調状態の高域成分が前記しきい値より高い場合は過変調状態であると判別し、前記増幅された過変調状態の高域成分が前記しきい値より低い場合は過変調状態ではないと判別することを特徴とする。
【００１４】
また、本発明の請求項３に記載の過変調検出方法は、請求項１または請求項２に記載の過変調検出方法であって、前記高域通過フィルタは通過帯域を可変とすることを特徴とする。
【００１５】
また、本発明の請求項４に記載の過変調検出方法は、請求項１または請求項２に記載の過変調検出方法であって、前記しきい値は可変とすることを特徴とする。
また、本発明の請求項５に記載の過変調検出方法は、請求項２に記載の過変調検出方法であって、前記過変調状態の高域成分増幅時の利得は可変とすることを特徴とする。
【００１６】
また、本発明の請求項６に記載の過変調検出装置は、中間周波増幅器によって増幅された中間周波信号の電界強度情報を出力する手段と、前記電界強度情報に含まれる過変調状態の高域成分を通過させる高域通過フィルタと、前記過変調状態の高域成分をしきい値と比較し、前記過変調状態の高域成分が前記しきい値より高い場合は過変調状態であると判別し、前記過変調状態の高域成分が前記しきい値より低い場合は過変調状態ではないと判別する比較回路とを備えたことを特徴とする。
【００１７】
また、本発明の請求項７に記載の過変調検出装置は、中間周波増幅器によって増幅された中間周波信号の電界強度情報を出力する手段と、前記電界強度情報に含まれる過変調状態の高域成分を通過させる高域通過フィルタと、前記高域通過フィルタを通過する過変調状態の高域成分を増幅する増幅器と、増幅された過変調状態の高域成分をしきい値と比較し、前記増幅された過変調状態の高域成分が前記しきい値より高い場合は過変調状態であると判別し、前記増幅された過変調状態の高域成分が前記しきい値より低い場合は過変調状態ではないと判別する比較回路とを備えたことを特徴とする。
【００１８】
また、本発明の請求項８に記載の過変調検出装置は、請求項６または請求項７に記載の過変調検出装置であって、前記高域通過フィルタは、通過帯域を可変する手段を備えたことを特徴とする。
【００１９】
また、本発明の請求項９に記載の過変調検出装置は、請求項６または請求項７に記載の過変調検出装置であって、前記比較回路は、しきい値を可変する手段を備えたことを特徴とする。
【００２０】
また、本発明の請求項１０に記載の過変調検出装置は、請求項７に記載の過変調検出装置であって、前記増幅器は、利得を可変する手段を備えたことを特徴とする。
また、本発明の請求項１１に記載の過変調検出装置は、請求項６または請求項７に記載の過変調検出装置であって、構成要素を単一チップ上に集積化したことを特徴とする。
【００２１】
また、本発明の請求項１２に記載のＦＭ受信機は、ＦＭ放送局からのＦＭ信号を受信するアンテナと、前記ＦＭ信号の過変調状態を検出する過変調検出装置とを備え、前記過変調検出装置は、中間周波増幅器によって増幅された中間周波信号の電界強度情報を出力する手段と、前記電界強度情報に含まれる過変調状態の高域成分を通過させる高域通過フィルタと、前記過変調状態の高域成分をしきい値と比較し、前記過変調状態の高域成分が前記しきい値より高い場合は過変調状態であると判別し、前記過変調状態の高域成分が前記しきい値より低い場合は過変調状態ではないと判別する比較回路とを備えたことを特徴とする。
【００２２】
また、本発明の請求項１３に記載のＦＭ受信機は、ＦＭ放送局からの信号を受信するアンテナと、前記ＦＭ放送局信号の過変調状態を検出する過変調検出装置とを備え、前記過変調検出装置は、中間周波増幅器によって増幅された中間周波信号の電界強度情報を出力する手段と、前記電界強度情報に含まれる過変調状態の高域成分を通過させる高域通過フィルタと、前記高域通過フィルタを通過する過変調状態の高域成分を増幅する増幅器と、増幅された過変調状態の高域成分をしきい値と比較し、前記増幅された過変調状態の高域成分が前記しきい値より高い場合は過変調状態であると判別し、前記増幅された過変調状態の高域成分が前記しきい値より低い場合は過変調状態ではないと判別する比較回路とを備えたことを特徴とする。
【発明の効果】
【００２３】
以上のように本発明によれば、電界強度情報に含まれる過変調状態の高域成分を高域通過フィルタで通過させ、増幅した後にしきい値と比較して比較結果を出力することによって、ＦＭ放送局の過変調状態を適切に検出することができる。
【００２４】
また、電界強度情報に含まれる過変調状態の高域成分を通過帯域可変型高域通過フィルタによって検出することで、ＦＭ放送局の過変調状態の検出精度を向上することができる。
【００２５】
また、電界強度情報に含まれる過変調状態の高域成分を高域通過フィルタで通過させ、増幅器の利得を可変とすることで、ＦＭ放送局の過変調状態の検出精度を向上することができる。
【００２６】
また、電界強度情報に含まれる過変調状態の高域成分を高域通過フィルタで通過させ、増幅した後の信号をしきい値と比較する際に、比較回路のしきい値を可変とすることで、ＦＭ放送局の過変調状態の検出精度を向上することができる。
【発明を実施するための最良の形態】
【００２７】
以下、本発明の実施の形態を示す過変調検出方法および過変調検出装置とＦＭ受信機について、図面を参照しながら具体的に説明する。
（実施の形態１）
本発明の実施の形態１の過変調検出方法および過変調検出装置とＦＭ受信機を説明する。
【００２８】
図１は本実施の形態１におけるＦＭ受信機の構成を示すブロック図であり、従来例と同一部分は同一符号を用いる。このＦＭ受信機は、図１に示すように、アンテナ１、ＲＦ増幅器２、混合器３、局部発振器４、第１帯域通過フィルタ５、第１中間周波増幅器６、第２帯域通過フィルタ７、第２中間周波増幅器８、ＦＭ検波器９、ＦＭ検波出力端子１０、電界強度計１４、高域通過フィルタ１５、増幅器１６、比較回路１２、ＦＭ過変調判別端子１３とで構成される。
【００２９】
図８は高域通過フィルタ１５の具体構成例を示しており、抵抗Ｒ１、容量Ｃ、入力端子Ｖ１、出力端子Ｖ２とで構成される。
図９は増幅器１６の具体構成例を示しており、抵抗Ｒ２〜Ｒ３、演算増幅器Ａ、入力端子Ｖ３、出力端子Ｖ４とで構成される。
【００３０】
図１０は比較回路１２の具体構成例を示しており、トランジスタＱ１〜Ｑ４、抵抗Ｒ４、定電圧源Ｖｒｅｆ、電流源Ｉ１、入力端子Ｖ５、出力端子Ｖ６とで構成される。
以上のように構成されたＦＭ受信機について、その動作を以下に説明する。
【００３１】
図１において、アンテナ１で受信した放送局からのＦＭ信号は、ＲＦ増幅器２で増幅され、混合器３で局部発振器４からの局部発振信号と混合されて中間周波信号に変換される。中間周波信号は第１帯域通過フィルタ５で帯域制限され、第１中間周波増幅器６で増幅される。第１中間周波増幅器６で増幅された中間周波信号は、第２帯域通過フィルタ７で帯域制限され、第２中間周波増幅器８で増幅された後、ＦＭ検波器９でＦＭ復調されてＦＭ検波出力端子１０から出力される。
【００３２】
一方、電界強度出力信号は、第２中間周波増幅器８から出力される信号の電界に応じて電界強度計１４から出力される。電界強度出力信号の過変調成分を高域通過フィルタ１５により通過させ、増幅器１６によって増幅し、比較回路１２によってしきい値と比較し、過変調状態を判別する。
【００３３】
図８において、入力信号Ｖ１に対する出力信号Ｖ２の伝達関数は、
【００３４】
【数１】
2007201838.tif 000003
となり、カットオフ周波数が、
【００３５】
【数２】
2007201838.tif 000004
となる高域通過フィルタ１５を構成している。
【００３６】
ここで、高域通過フィルタ１５のカットオフ周波数を、電界強度計１４に含まれる過変調成分のみ（例えば、ＦＭ１００％変調に相当する７５ｋＨｚ以上）を通過させる通過帯域となるように、容量Ｃおよび抵抗Ｒ１を決定することにより、ＦＭ放送信号の過変調成分のみを検出することが可能となる。
【００３７】
図９において、入力信号Ｖ３に対する出力信号Ｖ４の伝達関数は、
【００３８】
【数３】
2007201838.tif 000005
となり、周波数に依存せず抵抗Ｒ２およびＲ３によって利得が決定される増幅器１６を構成している。この増幅器１６により、電界強度計１４の出力に含まれ、高域通過フィルタ１５を通過したＦＭ過変調成分が増幅され、ＦＭ放送信号の過変調成分のレベル検出が容易となる。
【００３９】
図１０において、ＦＭ過変調成分の検出レベルＶ５が基準となる定電圧源Ｖｒｅｆの値以上となった場合、トランジスタＱ１、Ｑ２で構成される差動増幅器のＱ１側に電流源Ｉ１の電流が流れ、トランジスタＱ３、Ｑ４で構成されるカレントミラーに電流源Ｉ１の電流が出力される。トランジスタＱ４から出力される電流は抵抗Ｒ４に流れるため、出力端子Ｖ６にはＩ１×Ｒ４の電圧が発生する。
【００４０】
一方、ＦＭ過変調成分の検出レベルＶ５が基準となる定電圧源Ｖｒｅｆの値以下となった場合は、出力端子Ｖ６に電圧は発生しないため、出力端子Ｖ６に電圧Ｉ１×Ｒ４が発生した場合のみ過変調と判別することで、ＦＭ過変調状態の検出が可能となる。
【００４１】
以上のように本実施の形態では、上記特性を利用して電界強度情報に含まれる過変調状態の高域成分を高域通過フィルタで通過させ、増幅した後にしきい値と比較して比較結果を出力することによって、ＦＭ放送局の過変調状態を適切に検出できるＦＭ受信機を実現できるものである。
（実施の形態２）
本発明の実施の形態２の過変調検出方法および過変調検出装置とＦＭ受信機を説明する。
【００４２】
図２は本実施の形態２におけるＦＭ受信機の構成を示すブロック図であり、従来例と同一部分は同一符号を用いる。このＦＭ受信機は、図２に示すように、アンテナ１、ＲＦ増幅器２、混合器３、局部発振器４、第１帯域通過フィルタ５、第１中間周波増幅器６、第２帯域通過フィルタ７、第２中間周波増幅器８、ＦＭ検波器９、ＦＭ検波出力端子１０、電界強度計１４、通過帯域可変型高域通過フィルタ１７、増幅器１６、比較回路１２、ＦＭ過変調判別端子１３とで構成される。
【００４３】
図１１は通過帯域可変型高域通過フィルタ１７の具体構成例を示しており、抵抗Ｒ１、Ｒ５、容量Ｃ、スイッチＳＷ１、入力端子Ｖ１、出力端子Ｖ２とで構成される。
以上のように構成されたＦＭ受信機について、その動作を以下に説明する。
【００４４】
図２において、アンテナ１で受信した放送局からのＦＭ信号がＦＭ復調されて、ＦＭ検波出力端子１０から出力されるまでの信号処理は、実施の形態１と同様であるため、ここでの説明は省略する。
【００４５】
一方、電界強度計１４から出力される電界強度出力信号の過変調成分を、通過帯域可変型高域通過フィルタ１７により通過させ、増幅器１６によって増幅し、比較回路１２によってしきい値と比較し、過変調状態を判別する。
【００４６】
図１１において、入力信号Ｖ１に対する出力信号Ｖ２の伝達関数は、スイッチＳＷ１がＯＮ状態の場合とＯＦＦ状態の場合とで異なり、スイッチＳＷ１がＯＦＦ状態では、
【００４７】
【数４】
2007201838.tif 000006
となり、カットオフ周波数が、
【００４８】
【数５】
2007201838.tif 000007
となる高域通過フィルタを構成する。
【００４９】
しかしながらスイッチＳＷ１がＯＮの場合は、伝達関数が、
【００５０】
【数６】
2007201838.tif 000008
となり、カットオフ周波数が、
【００５１】
【数７】
2007201838.tif 000009
となるため、異なる通過帯域が選択可能な高域通過フィルタを構成することが可能となる。
【００５２】
また、スイッチＳＷ１および抵抗Ｒ５に相当する箇所を任意の個数と設定することで、任意のカットオフ周波数が選択可能となり、ＦＭ放送信号の過変調成分を検出する精度を向上させることが可能となる。
【００５３】
増幅器１６および比較回路１２の信号処理としては、実施の形態１と同様であるため、ここでの説明は省略する。
以上のように本実施の形態では、上記特性を利用して、電界強度情報に含まれる過変調状態の高域成分を通過帯域可変型高域通過フィルタによって検出することで、ＦＭ放送局の過変調状態の検出精度を向上させたＦＭ受信機を実現できるものである。
（実施の形態３）
本発明の実施の形態３の過変調検出方法および過変調検出装置とＦＭ受信機を説明する。
【００５４】
図３は本実施の形態３におけるＦＭ受信機の構成を示すブロック図であり、従来例と同一部分は同一符号を用いる。このＦＭ受信機は、図３に示すように、アンテナ１、ＲＦ増幅器２、混合器３、局部発振器４、第１帯域通過フィルタ５、第１中間周波増幅器６、第２帯域通過フィルタ７、第２中間周波増幅器８、ＦＭ検波器９、ＦＭ検波出力端子１０、電界強度計１４、高域通過フィルタ１５、利得可変型増幅器１８、比較回路１２、ＦＭ過変調判別端子１３とで構成される。
【００５５】
図１２は利得可変型増幅器１８の具体構成例を示しており、抵抗Ｒ２、Ｒ３、Ｒ６、演算増幅器Ａ、スイッチＳＷ２、入力端子Ｖ３、出力端子Ｖ４とで構成される。
以上のように構成されたＦＭ受信機について、その動作を以下に説明する。
【００５６】
図３において、アンテナ１で受信した放送局からのＦＭ信号がＦＭ復調されて、ＦＭ検波出力端子１０から出力されるまでの信号処理は、実施の形態１と同様であるため、ここでの説明は省略する。
【００５７】
一方、電界強度計１４から出力される電界強度出力信号の過変調成分を高域通過フィルタ１５により通過させ、利得可変型増幅器１８によって増幅し、比較回路１２によってしきい値と比較し、過変調状態を判別する。
【００５８】
図１２において、入力信号Ｖ３に対する出力信号Ｖ４の伝達関数は、スイッチＳＷ２がＯＮ状態の場合とＯＦＦ状態の場合とで異なり、スイッチＳＷ２がＯＦＦ状態では、
【００５９】
【数８】
2007201838.tif 000010
となり、周波数に依存せず抵抗Ｒ２およびＲ３によって利得が決定される増幅器を構成している。
【００６０】
しかしながらスイッチＳＷ２がＯＮの場合は、伝達関数が、
【００６１】
【数９】
2007201838.tif 000011
となり、異なる利得が選択可能な増幅器を構成することが可能となる。
【００６２】
また、スイッチＳＷ２および抵抗Ｒ６に相当する箇所を任意の個数と設定することで、任意の利得が選択可能となり、ＦＭ放送信号の過変調成分を検出する精度を向上させることが可能となる。
【００６３】
高域通過フィルタ１５および比較回路１２の信号処理としては、実施の形態１と同様であるため、ここでの説明は省略する。
以上のように本実施の形態では、上記特性を利用して、電界強度情報に含まれる過変調状態の高域成分を高域通過フィルタで通過させ、増幅器の利得を可変とすることで、ＦＭ放送局の過変調状態の検出精度を向上させたＦＭ受信機を実現できるものである。
（実施の形態４）
本発明の実施の形態４の過変調検出方法および過変調検出装置とＦＭ受信機を説明する。
【００６４】
図４は本実施の形態４におけるＦＭ受信機の構成を示すブロック図であり、従来例と同一部分は同一符号を用いる。このＦＭ受信機は、図４に示すように、アンテナ１、ＲＦ増幅器２、混合器３、局部発振器４、第１帯域通過フィルタ５、第１中間周波増幅器６、第２帯域通過フィルタ７、第２中間周波増幅器８、ＦＭ検波器９、ＦＭ検波出力端子１０、電界強度計１４、高域通過フィルタ１５、増幅器１６、しきい値可変型比較回路１９、ＦＭ過変調判別端子１３とで構成される。
【００６５】
図１３はしきい値可変型比較回路１９の構成例を示しており、トランジスタＱ１〜Ｑ７、抵抗Ｒ４、Ｒ７、可変抵抗Ｒ８、定電圧源Ｖｒｅｆ、電流源Ｉ１、入力端子Ｖ５、出力端子Ｖ６とで構成される。
【００６６】
以上のように構成されたＦＭ受信機について、その動作を以下に説明する。
図４において、アンテナ１で受信した放送局からのＦＭ信号がＦＭ復調されて、ＦＭ検波出力端子１０から出力されるまでの信号処理は、実施の形態１と同様であるため、ここでの説明は省略する。
【００６７】
一方、電界強度計１４から出力される電界強度出力信号の過変調成分を高域通過フィルタ１５により通過させ、増幅器１８によって増幅し、しきい値可変型比較回路１９によってしきい値と比較し、過変調状態を判別する。
【００６８】
図１３において、ＦＭ過変調成分の検出レベルＶ５が、基準となる定電圧源Ｖｒｅｆと抵抗Ｒ７に電流Ｉ２が流れることによって発生する電圧Ｉ２×Ｒ７の総和（Ｖｒｅｆ＋Ｉ２×Ｒ７）の値以上となった場合、トランジスタＱ１、Ｑ２で構成される差動増幅器のＱ１側に電流源Ｉ１の電流が流れ、トランジスタＱ３、Ｑ４で構成されるカレントミラーに電流源Ｉ１の電流が出力される。トランジスタＱ４から出力される電流は抵抗Ｒ４に流れるため、出力端子Ｖ６にはＩ１×Ｒ４の電圧が発生する。
【００６９】
ここで電流Ｉ２は、トランジスタＱ５、Ｑ６で構成されるカレントミラーから出力され、定電圧源Ｖｒｅｆ、トランジスタＱ７および可変抵抗Ｒ８によって決定される。トランジスタＱ７のベース・エミッタ間電圧をＶｂｅとすると、Ｉ２は（Ｖｒｅｆ−Ｖｂｅ）／Ｒ８となる。
【００７０】
一方、ＦＭ過変調成分の検出レベルＶ５が（Ｖｒｅｆ＋Ｉ２×Ｒ７）の値以下となった場合は、出力端子Ｖ６に電圧は発生しないため、出力端子Ｖ６に電圧Ｉ１×Ｒ４が発生した場合のみ過変調と判別することで、ＦＭ過変調状態の検出が可能となる。
【００７１】
ここでは可変抵抗Ｒ８の抵抗値を可変とすることで、抵抗Ｒ７に流れ込む電流Ｉ２が可変に設定できるため、ＦＭ過変調成分に対する検出しきい値が可変となり、ＦＭ放送信号の過変調成分を検出する精度を向上させることが可能となる。
【００７２】
高域通過フィルタ１５および増幅器１６の信号処理としては実施の形態１と同様であるため、ここでの説明は省略する。
以上のように本実施の形態では、上記特性を利用して、電界強度情報に含まれる過変調状態の高域成分を高域通過フィルタで通過させ、増幅した後の信号をしきい値と比較する際に、比較回路のしきい値を可変とすることで、ＦＭ放送局の過変調状態の検出精度を向上させたＦＭ受信機を実現できるものである。
【産業上の利用可能性】
【００７３】
本発明の過変調検出方法および過変調検出装置とＦＭ受信機は、複雑な検出系回路を設けることなく簡単な構成で、ＦＭ放送局の過変調状態を適切に検出することができるもので、ＦＭ信号の過変調状態を検出するＦＭ受信機に有用である。
【図面の簡単な説明】
【００７４】
【図１】本発明の実施の形態１のＦＭ受信機の構成を示すブロック図
【図２】本発明の実施の形態２のＦＭ受信機の構成を示すブロック図
【図３】本発明の実施の形態３のＦＭ受信機の構成を示すブロック図
【図４】本発明の実施の形態４のＦＭ受信機の構成を示すブロック図
【図５】過変調状態の中間周波信号が帯域通過フィルタを通過した場合の電界変動を示す図
【図６】過変調状態の中間周波レベル検出器と比較回路の関係を示す図
【図７】マルチパス状態の中間周波レベル検出器と比較回路の関係を示す図
【図８】本発明の実施の形態１における高域通過フィルタの構成例を示す回路図
【図９】同実施の形態１における増幅器の構成例を示す回路図
【図１０】同実施の形態１における比較回路の構成例を示す回路図
【図１１】本発明の実施の形態２における通過帯域可変型高域通過フィルタの構成例を示す回路図
【図１２】本発明の実施の形態３における利得可変型増幅器の構成例を示す回路図
【図１３】本発明の実施の形態４におけるしきい値可変型比較回路の構成例を示す回路図
【図１４】従来のＦＭ受信機の構成例を示すブロック図
【符号の説明】
【００７５】
１    アンテナ
２    ＲＦ増幅器
３    混合器
４    局部発振器
５    第１帯域通過フィルタ
６    第１中間周波増幅器
７    第２帯域通過フィルタ
８    第２中間周波増幅器
９    ＦＭ検波器
１０    ＦＭ検波出力端子
１１    中間周波レベル検出器
１２    比較回路
１３    ＦＭ過変調判別端子
１４    電界強度計
１５    高域通過フィルタ
１６    増幅器
１７    通過帯域可変型高域通過フィルタ
１８    利得可変型増幅器
１９    しきい値可変型比較回路
【図１】
2007201838.tif 000012
【図２】
2007201838.tif 000013
【図３】
2007201838.tif 000014
【図４】
2007201838.tif 000015
【図５】
2007201838.tif 000016
【図６】
2007201838.tif 000017
【図７】
2007201838.tif 000018
【図８】
2007201838.tif 000019
【図９】
2007201838.tif 000020
【図１０】
2007201838.tif 000021
【図１１】
2007201838.tif 000022
【図１２】
2007201838.tif 000023
【図１３】
2007201838.tif 000024
【図１４】
2007201838.tif 000025